(57)【要約】【課題】インセル型のタッチパネル機能付き液晶表示装置において、駆動電極と対向電極との間に形成される寄生容量を低減することにより位置検出性能を高める。【解決手段】タッチパネル機能付き液晶表示装置１において、アクティブマトリクス基板４は画素電極４３を備え、対向基板５は対向電極１６と駆動電極１３と検知電極１２とを備え、対向電極１６には配向制御用のスリット１６ｓが設けられている。【選択図】図１
2015187619.tif 000002
【特許請求の範囲】
【請求項１】
静電容量の変化により検出対象物の指示座標の位置を検出する、タッチパネル機能を有する液晶表示装置であって、
アクティブマトリクス基板と、対向基板と、両基板間に配された液晶層とを備え、
上記アクティブマトリクス基板は、画素電極を備え、
上記対向基板は、上記画素電極に対向配置される対向電極と、上記指示座標の位置を検出するための複数の駆動電極および複数の検知電極とを備え、
上記対向電極には、上記液晶層の液晶分子の配向を制御するためのスリットが設けられていることを特徴とする液晶表示装置。
【請求項２】
上記複数の駆動電極と上記複数の検知電極との間に形成される電気力線の密度が、上記複数の駆動電極と上記対向電極との間に形成される電気力線の密度よりも大きいことを特徴とする請求項１に記載の液晶表示装置。
【請求項３】
上記スリットは、各画素において、画素の中心から画素の端部へ向かって同心円状に形成されていることを特徴とする請求項１に記載の液晶表示装置。
【請求項４】
上記スリットは、各画素において、画素の中心から画素の端部へ向かって放射状に形成されていることを特徴とする請求項１に記載の液晶表示装置。
【請求項５】
各画素に、複数のドメインが形成されていることを特徴とする請求項１に記載の液晶表示装置。
【請求項６】
上記駆動電極に電気的に接続された駆動電極用補助配線と、上記検知電極に電気的に接続された検知電極用補助配線とをさらに備え、
上記駆動電極用補助配線および上記検知電極用補助配線は、当該液晶表示装置を平面的に見て、上記複数のドメインの境界に重なるように設けられていることを特徴とする請求項５に記載の液晶表示装置。
【請求項７】
上記駆動電極および上記検知電極は、それぞれが行方向および列方向に並んで配置され、かつ、斜め方向に交互に配置されていることを特徴とする請求項２に記載の液晶表示装置。
【請求項８】
静電容量の変化により検出対象物の指示座標の位置を検出する、タッチパネル機能を有する液晶表示装置であって、
アクティブマトリクス基板と、対向基板と、両基板間に配された液晶層とを備え、
上記アクティブマトリクス基板は、画素電極を備え、
上記対向基板は、上記画素電極に対向配置される対向電極と、上記指示座標の位置を検出するための複数の駆動電極および複数の検知電極とを備え、
上記対向電極には、上記複数の駆動電極と上記複数の検知電極との間に形成される電気力線の密度が、上記複数の駆動電極と上記対向電極との間に形成される電気力線の密度よりも大きくなるように、スリットが設けられていることを特徴とする液晶表示装置。
【発明の詳細な説明】
【技術分野】
【０００１】
本発明は、インセル型のタッチパネル機能を備えた液晶表示装置に関するものである。
【背景技術】
【０００２】
従来から、タッチパネルを備えた表示装置が広く利用されている。また近年では、薄型軽量化、視認性向上、および部品点数削減等のコストメリットの観点から、表示パネル内にタッチパネルを組み込んだインセル（In-Cell）型のタッチパネル機能付き表示装置（以下、単に、表示装置ともいう）が提案されている（例えば、特許文献１参照）。
【０００３】
図１３は、特許文献１に記載の表示装置の概略構成を示す断面図であり、図１４は、図１３に示すＡ−Ｂ線に沿った断面から見たセンサ電極の構成を示す平面図である。
【０００４】
図１３に示すように、特許文献１に記載の表示装置３００は、ＴＦＴ基板３０１とＣＦ基板３０２との間に液晶層３０３が挟持された表示パネル３０４を備えている。
【０００５】
ＣＦ基板３０２における絶縁基板３１１と対向電極３１９（共通電極）との間には、遮光部３１６（ＢＭ）と、隣り合う遮光部３１６間に設けられた複数の着色層３１７（ＣＦ）とからなるＣＦ層３１８が設けられている。また、ＣＦ層３１８と絶縁基板３１１との間には、センサ電極（位置検出電極）としての第１電極層３１２と第２電極層３１４とが設けられている。第１電極層３１２と第２電極層３１４との間には、絶縁層３１３が設けられている。
【０００６】
図１３および図１４に示すように、第１電極層３１２は、第１の方向に延びる直線状のライン部３１２ａと、ライン部３１２ａから膨出した膨出部３１２ｂとを有している。また、第２電極層３１４は、第１の方向に直交する第２の方向に延びる直線状のライン部３１４ａと、ライン部３１４ａから膨出した膨出部３１４ｂとを有している。
【０００７】
表示装置３００では、指や入力用のペン（検出対象物）を表示画面に接触させたときの静電容量の変化を検出することで接触位置を検出する（静電容量方式）。これにより、簡易な構成で接触位置を検出することができる。
【先行技術文献】
【特許文献】
【０００８】
【特許文献１】特開２０１０−７２５８１号公報（２０１０年４月２日公開）
【発明の概要】
【発明が解決しようとする課題】
【０００９】
しかしながら、上記表示装置３００では、第２電極層３１４と対向電極３１９との距離が狭く、また対向電極３１９は表示パネル全面にベタ状に形成されているため、第２電極層３１４と対向電極３１９との間に形成される寄生容量が大きくなり、センサ電極の駆動負荷が大きくなる。そのため、十分なＳＮ比（信号対雑音比）が得られず、タッチパネルの検出性能が低下するという問題がある。
【００１０】
図１５は、センサ電極の駆動負荷が大きくなる原理を説明するための図である。図１５には、表示パネル全面にベタ状に形成された対向電極と、センサ電極としての駆動電極および検知電極を示している。この構成では、ベタ状の対向電極と駆動電極とが近接しているため、対向電極と駆動電極との間の寄生容量が大きくなる。そのため、駆動電極の負荷が大きくなり、タッチ検出のためのシグナル積分回数が少なくなり、その結果、十分なシグナルを得ることができなくなる。
【００１１】
また、駆動電極と検出電極との間には、静電容量が形成され、図示のような電気力線が形成される。また、駆動電極と対向電極との間には、寄生容量が形成され、図示のような電気力線が形成される。寄生容量に起因する電気力線の影響により、静電容量に起因する電気力線が相対的に弱くなり、その結果、十分なシグナルを得ることができなくなる。
【００１２】
このように、上記表示装置では、寄生容量の影響により、十分なシグナルが得られず、ＳＮ比が低下し、タッチパネルの位置検出性能が低下してしまう。特に、表示装置を大型化すると、ＳＮ比の低下が顕著となり、タッチパネルの位置検出性能が大きく低下してしまう。
【００１３】
本発明は、上記問題点に鑑みなされたものであり、その目的は、インセル型のタッチパネル機能付き液晶表示装置において、駆動電極と対向電極との間に形成される寄生容量を低減することにより位置検出性能を高めることにある。
【課題を解決するための手段】
【００１４】
本発明に係る液晶表示装置は、上記の課題を解決するために、
静電容量の変化により検出対象物の指示座標の位置を検出する、タッチパネル機能を有する液晶表示装置であって、
アクティブマトリクス基板と、対向基板と、両基板間に配された液晶層とを備え、
上記アクティブマトリクス基板は、画素電極を備え、
上記対向基板は、上記画素電極に対向配置される対向電極と、上記指示座標の位置を検出するための複数の駆動電極および複数の検知電極とを備え、
上記対向電極には、上記液晶層の液晶分子の配向を制御するためのスリットが設けられていることを特徴とする。
【００１５】
上記の構成によれば、配向制御用のスリットが設けられているため、マルチドメイン化を実現できる。また、特に、スリットが対向電極に設けられているため、駆動電極と対向電極との間に形成される寄生容量を低減することできるとともに、駆動電極と検知電極との間に形成される電気力線を相対的に強めることができる。これにより、十分なシグナルを得ることができるため、従来の構成（図１５参照）と比較して、位置検出性能を高めることができる。
【００１６】
上記液晶表示装置では、上記複数の駆動電極と上記複数の検知電極との間に形成される電気力線の密度が、上記複数の駆動電極と上記対向電極との間に形成される電気力線の密度よりも大きいことが好ましい。
【００１７】
上記液晶表示装置では、上記スリットは、各画素において、画素の中心から画素の端部へ向かって同心円状に形成されている構成とすることもできる。
【００１８】
上記液晶表示装置では、上記スリットは、各画素において、画素の中心から画素の端部へ向かって放射状に形成されている構成とすることもできる。
【００１９】
上記液晶表示装置では、各画素に、複数のドメインが形成されていることが好ましい。
【００２０】
上記液晶表示装置では、上記駆動電極に電気的に接続された駆動電極用補助配線と、上記検知電極に電気的に接続された検知電極用補助配線とをさらに備え、上記駆動電極用補助配線および上記検知電極用補助配線は、当該液晶表示装置を平面的に見て、上記複数のドメインの境界に重なるように設けられている構成とすることもできる。
【００２１】
これにより、駆動電極および検知電極の配線抵抗を低減することができる。
【００２２】
上記液晶表示装置では、上記駆動電極および上記検知電極は、それぞれが行方向および列方向に並んで配置され、かつ、斜め方向に交互に配置されている構成とすることもできる。
【００２３】
本発明に係る液晶表示装置は、上記の課題を解決するために、
静電容量の変化により検出対象物の指示座標の位置を検出する、タッチパネル機能を有する液晶表示装置であって、
アクティブマトリクス基板と、対向基板と、両基板間に配された液晶層とを備え、
上記アクティブマトリクス基板は、画素電極を備え、
上記対向基板は、上記画素電極に対向配置される対向電極と、上記指示座標の位置を検出するための複数の駆動電極および複数の検知電極とを備え、
上記対向電極には、上記複数の駆動電極と上記複数の検知電極との間に形成される電気力線の密度が、上記複数の駆動電極と上記対向電極との間に形成される電気力線の密度よりも大きくなるように、スリットが設けられていることを特徴とする。
【発明の効果】
【００２４】
以上のように、本発明に係る液晶表示装置は、上記対向電極に、上記液晶層の液晶分子の配向を制御するためのスリットが設けられている構成である。これにより、インセル型のタッチパネル機能付き液晶表示装置において、駆動電極と対向電極との間に形成される寄生容量を低減することにより位置検出性能を高めることができる。
【図面の簡単な説明】
【００２５】
【図１】本発明の一実施の形態（実施例１）に係る液晶表示装置の概略構成を示す断面図である。
【図２】実施例１に係る液晶表示装置の対向基板の一部を示す平面図である。
【図３】実施例１に係る液晶表示装置の対向基板の広域を示す平面図である。
【図４】静電容量方式のタッチパネルの一例を示す平面図であり、（ａ）はタッチパネルの電極構成を説明するための平面図であり、（ｂ）は（ａ）のＡ−Ｂ断面図であり、（ｃ）はタッチパネルに指がタッチされた時のタッチパネルの動作を説明するための図である。
【図５】実施例１に係る液晶表示装置における、対向電極と位置検出電極との間に形成される電気力線の様子を模式的に示す断面図である。
【図６】実施例１の変形例に係る対向基板の一部を示す平面図である。
【図７】図６のＡ−Ｂ断面図である。
【図８】実施例１の変形例に係る対向基板の広域を示す平面図である。
【図９】実施例２に係る液晶表示装置の対向基板の一部を示す平面図である。
【図１０】実施例２に係る対向基板の広域を示す平面図である。
【図１１】実施例２の変形例に係る対向基板の一部を示す平面図である。
【図１２】実施例２の変形例に係る対向基板の広域を示す平面図である。
【図１３】特許文献１に記載の表示装置の概略構成を示す断面図である。
【図１４】図１３に示すＡ−Ｂ線に沿った断面から見たセンサ電極の構成を示す平面図である。
【図１５】従来の表示装置において、センサ電極の駆動負荷が大きくなる原理を説明するための図である。
【発明を実施するための形態】
【００２６】
本発明に係るインセル型のタッチパネル機能を有する液晶表示装置（以下、液晶表示装置という）の一実施の形態について以下に説明する。
【００２７】
図１は、本実施の形態に係る液晶表示装置の概略構成を示す断面図である。図１に示す液晶表示装置１は、通常の画像表示機能と静電容量方式のタッチパネル機能とを兼ね備えた液晶パネル２と、液晶パネル２を駆動する各種駆動回路（データ信号線駆動回路、走査信号線駆動回路等；図示せず）と、液晶パネル２に光を照射するバックライト３とを備えている。
【００２８】
液晶パネル２は、互いに対向する一対の基板（アクティブマトリクス基板４（ＴＦＴ基板）、対向基板５（カラーフィルタ（ＣＦ）基板））の間に液晶層６を挟持させたアクティブマトリクス型の表示パネルである。液晶パネル２では、対向基板５側が観察者（検出対象物）側となり、アクティブマトリクス基板４の背面にバックライト３が配置される。
【００２９】
アクティブマトリクス基板４には、ガラス基板４１上に、走査信号線およびデータ信号線等の各種信号線（図示せず）、トランジスタ（ＴＦＴ）（図示せず）、絶縁膜４２、マトリクス状に並べられた画素に対応した画素電極４３、および、偏光板４４が設けられている。アクティブマトリクス基板４は、周知の構成を適用することができる。
【００３０】
対向基板５には、画像表示機能を実現するための構成に加えて、タッチパネル機能を実現するための構成が設けられている。以下では、主に、対向基板５の具体的な構成例について説明する。
【００３１】
（実施例１）
実施例１に係る液晶表示装置は、図１に示すとおりである。図２は、実施例１に係る対向基板５の一部を示す平面図である。なお、図１に示す断面図は、図２のＡ−Ｂ断面を示している。また、図３には、実施例１に係る対向基板５の広域を示している。なお、図２では３つの画素に対応する部分を示しているが、画素構造はこれに限定されず、図２が１つの画素を示し、この１画素が３つの副画素（Ｒ副画素、Ｇ副画素、Ｂ副画素）を含んで構成されていても良い。また、各画素が複数の画素電極を含み、画素分割構造を有していても良い。
【００３２】
対向基板５は、ガラス基板１１、位置検出電極（センサ電極）としての複数の検知電極１２および複数の駆動電極１３、第１絶縁膜１４、第２絶縁膜１５、ブラックマトリクス（図示せず）、カラーフィルタ層（図示せず）、対向電極１６、および、偏光板１７を備えている。
【００３３】
図３に示すように、液晶パネル２を平面的に見て、検知電極１２（薄いグレー色で示す部分）および駆動電極１３（濃いグレー色で示す部分）はそれぞれ、行方向および列方向に並んで配され、かつ斜め方向に交互に配されている。なお、図１では、便宜上、検知電極１２および駆動電極１３のパターニングは省略している。
【００３４】
検知電極１２および駆動電極１３は、透明な電極であり、例えば、酸化物等の透明導電材料で形成されている。上記透明導電材料としては、例えば、ＩＴＯ（インジウム錫酸化物）、ＩＺＯ（インジウム亜鉛酸化物）、酸化亜鉛、酸化スズ等が挙げられる。また、検知電極１２および駆動電極１３は、グラフェン等の金属薄膜電極、あるいは、薄膜のカーボン電極等、薄膜とすることで透明状態を有する透明な電極であっても良い。
【００３５】
また、図１では、検知電極１２および駆動電極１３は、互いに異なる層に形成されているが、これに限定されず、互いに同一の層に形成されていても良い。検知電極１２および駆動電極１３が同一層に形成される構成では、何れか一方（検知電極１２または駆動電極１３）の複数の電極が、互いにブリッジ接続されている。また、検知電極１２および駆動電極１３の配置が互いに入れ替わっていても良い。
【００３６】
検知電極１２および駆動電極１３により、静電容量方式のタッチパネル機能が実現される。ここで、静電容量方式のタッチパネルの動作原理について、図４を用いて説明する。
【００３７】
図４は、静電容量方式のタッチパネルの一例を模式的に示している。図４の（ａ）は、タッチパネルの電極構成を説明するための平面図であり、図４の（ｂ）は、図４の（ａ）のＡ−Ｂ断面図であり、図４の（ｃ）は、タッチパネルに指（検出対象物）がタッチされたときのタッチパネルの動作を説明するための断面図である。なお、図４では、検知電極および駆動電極が、互いに同一の層に形成されている構成を示している。
【００３８】
図４において、符号９０は透明な絶縁体（誘電体）よりなる基板であり、この基板９０の一方の面に複数の駆動電極９１、複数の検知電極９２が設けられている。駆動電極９１および検知電極９２が設けられた面を覆って、カバーガラス９３が設けられている。カバーガラス９３は、所定の誘電率を有する絶縁体、例えば透明なガラスによって構成されている。
【００３９】
図４の（ａ）では、複数の駆動電極９１は、各行毎にＸ軸方向に互いに接続されており、複数の検知電極９２は、各列毎にＹ軸方向に互いに接続されている。なお、何れか一方の複数の電極が、互いにブリッジ接続されている。図４の（ｂ）に示すように、駆動電極９１と検知電極９２に駆動電圧が印加されると、駆動電極９１と検知電極９２との間に、基板９０およびカバーガラス９３を介して静電容量が形成され、図示のような電気力線が形成される。
【００４０】
この状態で図４の（ｃ）に示すように、指先９４がカバーガラス９３の表面にタッチされると、人体を介して接地との間に静電容量Ｃｘが形成され、電気力線の一部は指先９４を介して接地されることになる。これは、指先９４がタッチした部分の駆動電極９１と検知電極９２との間の静電容量が大きく変化したことを示しており、この変化量を検出することによって、指先９４がタッチした位置を検出することができる。
【００４１】
静電容量方式の位置検出方法は、上記の構成に限定されず、周知の方法を用いることができる。すなわち、タッチパネルとして、相互容量方式あるいは自己容量方式を用いることができる。
【００４２】
次に、図２を参照して、対向電極１６の構成について説明する。
【００４３】
対向電極１６には、液晶層６の液晶分子６ａの配向を制御するための複数のスリット１６ｓが形成されている。具体的には、スリット１６ｓは、平面的に見て、画素の中心から画素の端部へ向かって同心円状に形成されている。
【００４４】
ここで、画素電極４３および対向電極１６近傍の液晶分子６ａに光配向等によりチルト角が与えられ、電圧印加により渦巻き状（同心円状）に液晶分子６ａが配向し、各画素において４つのドメインが形成される。ここでは、卍型のドメイン境界６ｂが形成される。このように、マルチドメイン型のＲＴＮモードの液晶パネルが実現される。なお、スリット１６ｓは、対向電極１６のパターニングにより液晶分子６ａの配向力を高めるように形成されており、４ドメイン型、２ドメイン型、モノドメイン型等、各液晶モードを適用することができる。
【００４５】
ここで、対向電極にスリットが設けられていない従来の液晶表示装置では、対向電極と駆動電極との間に大きな寄生容量が形成されるため、駆動電極の負荷が大きくなる。特に、大型のパネルにおいては、十分なＳＮ比を確保できず、位置検出性能が低下してしまう。画素電極に配向制御用のスリットを設けた従来の構成においても、マルチドメイン化を実現することはできるが、位置検出性能の低下という問題を解消することはできない。
【００４６】
これに対して、実施例１に係る液晶表示装置１では、対向電極１６にスリット１６ｓが設けられていることにより、マルチドメイン化の効果に加えて、以下の効果を得ることができる。
【００４７】
すなわち、配向制御力を高めることができるため、液晶分子６ａの配向を安定化させることができる。また、スリット１６ｓが形成されている領域と形成されていない領域とで、液晶分子６ａを駆動するための電圧閾値を異ならせることができるため、広視野角化を実現することができる。
【００４８】
さらに、対向電極１６の有効面積（スリット１６ｓを除外した対向電極１６の面積）を小さくすることができるため、対向電極１６と駆動電極１３との間に形成される寄生容量を小さくすることができる。これにより、駆動電極１３の負荷を小さくすることができ、タッチ検出のためのシグナル積分回数を増やすことができる。
【００４９】
図５は、対向電極１６と、位置検出電極（検知電極１２および駆動電極１３）との間に形成される電気力線の様子を模式的に示す断面図である。図５に示すように、対向電極１６にはスリット１６ｓが形成されているため、駆動電極１３と検知電極１２との間に形成される電気力線の密度は、駆動電極１３と対向電極１６との間に形成される電気力線の密度よりも大きくなる。すなわち、検知電極１２と駆動電極１３との間に形成される電気力線を相対的に強めることができる。
【００５０】
これにより、十分なシグナルを得ることができるため、従来の構成（図１５参照）と比較して、タッチパネルの位置検出性能を高めることができる。また、十分なシグナルを得ることができるためＳＮ比の低下を抑え、液晶パネルの大型化を実現することができる。
【００５１】
なお、スリット１６ｓの総面積は、光が透過する表示領域の総面積の３０％以上であることが好ましい。また、スリット１６ｓの幅（横幅）は、５ｕｍ以下であることが好ましい。
【００５２】
（実施例１の変形例）
図６は、実施例１の変形例に係る対向基板５の一部を示す平面図である。図７は、図６のＡ−Ｂ断面図である。また、図８には、本変形例に係る対向基板５の広域を示している。
【００５３】
本変形例に係る液晶表示装置１の対向基板５では、図１に示す対向基板５に、さらに、検知電極用補助配線１２ａと、駆動電極用補助配線１３ａとが設けられている。検知電極用補助配線１２ａは、検知電極１２に電気的に接続されており、駆動電極用補助配線１３ａは、駆動電極１２に電気的に接続されている。
【００５４】
検知電極用補助配線１２ａおよび駆動電極用補助配線１３ａは、図７に示すように、液晶パネル２を平面的に見て、ドメイン境界６ｂで発生する暗線部に重なるように設けられている。これにより、透過率の低下を抑制しつつ、検知電極１２および駆動電極１３の配線抵抗を低減することができる。
【００５５】
ここで、従来のようにアクティブマトリクス基板上の画素電極側にスリットを設けた場合、基板の貼り合わせ工程において位置ずれが起こると、対向基板側に形成される駆動電極用補助配線および検知電極用補助配線と、アクティブマトリクス基板側の暗線との位置関係が相対的にずれてしまい、透過率が大きく低下する。
【００５６】
これに対して、スリット１６ｓと補助配線１２ａ、１３ａを同じ対向基板５上に形成する本液晶表示装置１では、暗線と補助配線１２ａ、１３ａとの位置ずれが起こり難いため、基板の貼り合わせ工程における位置ずれによる透過率の低下を抑制することができる。
【００５７】
なお、本変形例では、図６および図８に示すように、駆動電極用補助配線１３ａは、３画素ごとに１箇所配置されているが、これに限定されず、１画素ごとに１箇所配置されていても良い。また、補助配線１２ａ、１３ａは、画素間のＢＭ（ブラックマトリクス）上に配置されていても良い。
【００５８】
上記のように、補助配線１２ａ、１３ａを配置することにより、検知電極１２および駆動電極１３の配線抵抗を低減することができるため、駆動電極１３の負荷をより低減することができる。
【００５９】
（実施例２）
図９は、実施例２に係る液晶表示装置１の対向基板５の一部を示す平面図である。なお、図９のＡ−Ｂ断面は、図１と同一である。図１０には、実施例２に係る対向基板５の広域を示している。
【００６０】
実施例２に係る対向基板５は、実施例１に係る対向基板５（図２および図３参照）と比較して、図９および図１０に示すように、スリット１６ｓの形状、および、ドメイン境界６ｂの形状が異なっており、その他の構成は同一である。
【００６１】
実施例２に係るスリット１６ｓは、各画素において、画素の中心から画素の端部へ向かって放射状に形成されている。また、ドメイン境界６ｂは、画素の中心を通り、かつ行方向および列方向に延伸するように、十字型に形成されている。
【００６２】
実施例２の構成によれば、画素電極４３および対向電極１６近傍の液晶分子６ａにチルト角が与えられ、電圧印加により放射状に液晶分子６ａが配向し、各画素において４つのドメインが形成される。これにより、実施例２に係る液晶表示装置１は、実施例１に係る液晶表示装置１と同様の効果を得ることができる。
【００６３】
（実施例２の変形例）
図１１は、実施例２の変形例に係る対向基板５の一部を示す平面図である。なお、図１１のＡ−Ｂ断面は、図７と同一である。図１２には、実施例２の変形例に係る対向基板５の広域を示している。
【００６４】
本変形例に係る液晶表示装置１の対向基板５では、図９に示す対向基板５に、さらに、検知電極用補助配線１２ａと、駆動電極用補助配線１３ａとが設けられている。具体的には、検知電極用補助配線１２ａおよび駆動電極用補助配線１３ａは、ドメイン境界６ｂで発生する暗線部に設けられている。これにより、実施例１の変形例に係る液晶表示装置１と同様、透過率の低下を抑制しつつ、検知電極１２および駆動電極１３の配線抵抗を低減することができる。
【００６５】
なお、本変形例では、図１１および図１２に示すように、駆動電極用補助配線１３ａは、３画素ごとに１箇所配置されているが、これに限定されず、１画素ごとに１箇所配置されていても良い。また、補助配線１２ａ、１３ａは、画素間のＢＭ（ブラックマトリクス）上に配置されていても良い。
【００６６】
上記のように、補助配線１２ａ、１３ａを配置することにより、検知電極１２および駆動電極１３の配線抵抗を低減することができるため、駆動電極１３の負荷をより低減することができる。
【００６７】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【００６８】
本発明のタッチパネル機能を備えた液晶表示装置は、各種携帯端末装置、大型ディスプレイ等に好適である。
【符号の説明】
【００６９】
１      液晶表示装置
２      液晶パネル
３      バックライト
４      アクティブマトリクス基板
５      対向基板
６      液晶層
６ａ    液晶分子
６ｂ    ドメイン境界
１１    ガラス基板
１２    検知電極（位置検出電極）
１２ａ  検知電極用補助配線
１３    駆動電極（位置検出電極）
１３ａ  駆動電極用補助配線
１４    第１絶縁膜
１５    第２絶縁膜
１６    対向電極
１６ｓ  スリット
１７    偏光板
４１    ガラス基板
４２    絶縁膜
４３    画素電極
４４    偏光板
【図１】
2015187619.tif 000003
【図２】
2015187619.tif 000004
【図３】
2015187619.tif 000005
【図４】
2015187619.tif 000006
【図５】
2015187619.tif 000007
【図６】
2015187619.tif 000008
【図７】
2015187619.tif 000009
【図８】
2015187619.tif 000010
【図９】
2015187619.tif 000011
【図１０】
2015187619.tif 000012
【図１１】
2015187619.tif 000013
【図１２】
2015187619.tif 000014
【図１３】
2015187619.tif 000015
【図１４】
2015187619.tif 000016
【図１５】
2015187619.tif 000017